(57)【要約】【課題】フロント筐体からネジボスを削減またはなくした場合にも、意匠性を損なうことを抑制可能な筐体固定構造およびこれを備える表示装置を提供する。【解決手段】筐体固定構造は、天面および側面が傾斜面に形成される表示パネル４と、表示面４ａの周縁部を覆い、表示パネル４の側面を覆う外周部に嵌合部１ｂを有するフロントキャビネット１と、表示パネル４の背面を覆い、表示パネル４の側面を覆う外周部に嵌合部１ｂと嵌合可能な被嵌合部３ａを有するとともに、当該外周部に隣接し表示面４ａと平行に形成された背面位置にユーザーホール３ｃが形成されるリアキャビネット３と、表示パネル４の傾斜面に固定され、ユーザーホール３ｃに対応する位置が表示面４ａと平行な平面に形成され、当該平面にネジ穴２ｆが形成される固定部材２とを備えている。リアキャビネット３と固定部材２は、ユーザーホール３ｃとネジ穴２ｆを介してネジ５で固定されている。【選択図】図１
2015146538.tif 000002
【特許請求の範囲】
【請求項１】
天面が背面側へ行く程下方に傾斜する傾斜面に形成され、かつ、側面が背面側へ行く程幅方向内側に傾斜する傾斜面に形成される表示パネルと、
前記表示パネルの表示面の周縁部を覆い、かつ、前記表示パネルの側面を覆う外周部に嵌合部を有するフロント筐体と、
前記表示パネルの背面を覆い、かつ、前記表示パネルの側面を覆う外周部に前記嵌合部と嵌合可能な被嵌合部を有するとともに、当該外周部に隣接し前記表示面と平行に形成された背面位置に貫通穴が形成されるリア筐体と、
前記表示パネルの前記傾斜面に固定され、かつ、前記リア筐体の前記貫通穴に対応する位置が前記表示面と平行な平面に形成されるとともに当該平面に第１ネジ穴が形成される固定部材と、
を備え、
前記リア筐体と前記固定部材は、前記貫通穴と前記第１ネジ穴を介してネジで固定される、筐体固定構造。
【請求項２】
前記表示パネルは、外周部から背面側へ突出する突出部と、前記突出部に形成される第１穴部と、前記傾斜面に形成される第２穴部とを備え、
前記固定部材は、前記第１穴部と係合可能な第１係合片と、前記第２穴部と係合可能な第２係合片とを備える、請求項１記載の筐体固定構造。
【請求項３】
前記表示パネルは、外周部から背面側へ突出する突出部と、前記突出部に形成される第１穴部と、前記傾斜面に形成される第２穴部とを備え、
前記固定部材において前記第１穴部と前記第２穴部のうち少なくとも一方に対応する位置に第２ネジ穴が形成され、
前記表示パネルと前記固定部材は、前記第１穴部と前記第２穴部のうち少なくとも一方と、前記第２ネジ穴を介してネジで固定される、請求項１記載の筐体固定構造。
【請求項４】
前記固定部材は弾性材料で形成され、前記第１係合片と前記第１穴部との係合状態、および前記第２係合片と前記第２穴部との係合状態のうち少なくとも一方は前記固定部材の弾性力で保持される、請求項２記載の筐体固定構造。
【請求項５】
請求項１から４のいずれか１つに記載の筐体固定構造を備える、表示装置。
【発明の詳細な説明】
【技術分野】
【０００１】
本発明は、表示装置などに採用されるフロントキャビネットまたはリアキャビネットなどの意匠筐体の固定構造に関するものである。
【背景技術】
【０００２】
従来のフロントキャビネット（フロント筐体）の固定構造においては、リアキャビネット（リア筐体）と直接ネジ止めしたり、リアキャビネットとツメ嵌合したり、または、近年では表示パネルのＬＣＭベゼルをフロントキャビネットの意匠として兼用することで、製品全体の正面視および側面視における意匠性の確保および意匠性の向上を図るとともに、製品の剛性を高めている。
【０００３】
ここで意匠性とは、フロントキャビネットまたはリアキャビネットの反り、リアキャビネットに対するフロントキャビネットの浮き、およびフロントキャビネットとリアキャビネットとの隙間が少ないことを指すものとする。製品の意匠性を高めるとともに、より強固な剛性を確保するために、任意の間隔をあけて複数のネジ、複数の嵌合リブ、または複数の嵌合爪形状を設けることが一般的である。このような筐体固定構造が、例えば特許文献１に開示されている。
【先行技術文献】
【特許文献】
【０００４】
【特許文献１】特開２００８−２５８７５０号公報
【発明の概要】
【発明が解決しようとする課題】
【０００５】
従来の筐体固定構造においては、フロントキャビネットまたはリアキャビネットの反り、リアキャビネットに対するフロントキャビネットの浮き、およびフロントとリアキャビネットとの隙間を抑え、かつ、製品全体の剛性を高めることが重要であるため、ネジ固定を用いた固定構造の場合は多数のネジが必要となる。このため、部品コストが増大するとともに、組立に要する作業時間が増大するという問題があった。
【０００６】
また、従来のネジ固定ではなく、近年ではツメ嵌合を用いたフロントキャビネットの固定構造も採用されている。すなわち、当該固定構造は、フロントキャビネットからネジボスを削減またはなくした構造である。
【０００７】
しかし、薄型表示パネルが直下型液晶パネルのようにエッジ型液晶パネルと比べて厚みがやや厚い場合、天面および両側面が傾斜状に形成されるため、ネジ固定のためのユーザーホールが液晶パネルのパネル端から離れているパネル背面位置にしか配置することができない。このため、リアキャビネットから直下型液晶パネルの背面にネジ固定しても、フロントキャビネットとリアキャビネットとの嵌合部分が撓み易いため、嵌合ツメが外れ易くなり、結果としてフロントキャビネットまたはリアキャビネットの反り、リアキャビネットに対するフロントキャビネットの浮きおよびフロントキャビネットとリアキャビネットとの隙間が発生するなど意匠性を損なうという問題があった。
【０００８】
そこで、本発明は、フロント筐体からネジボスを削減またはなくした場合にも、意匠性を損なうことを抑制可能な筐体固定構造およびこれを備える表示装置を提供することを目的とする。
【課題を解決するための手段】
【０００９】
本発明に係る筐体の固定構造は、天面が背面側へ行く程下方に傾斜する傾斜面に形成され、かつ、側面が背面側へ行く程幅方向内側に傾斜する傾斜面に形成される表示パネルと、前記表示パネルの表示面の周縁部を覆い、かつ、前記表示パネルの側面を覆う外周部に嵌合部を有するフロント筐体と、前記表示パネルの背面を覆い、かつ、前記表示パネルの側面を覆う外周部に前記嵌合部と嵌合可能な被嵌合部を有するとともに、当該外周部に隣接し前記表示面と平行に形成された背面位置に貫通穴が形成されるリア筐体と、前記表示パネルの前記傾斜面に固定され、かつ、前記リア筐体の前記貫通穴に対応する位置が前記表示面と平行な平面に形成されるとともに当該平面に第１ネジ穴が形成される固定部材とを備え、前記リア筐体と前記固定部材は、前記貫通穴と前記第１ネジ穴を介してネジで固定されるものである。
【００１０】
本発明に係る表示装置は、筐体固定構造を備えるものである。
【発明の効果】
【００１１】
本発明によれば、筐体固定構造は、天面が背面側へ行く程下方に傾斜する傾斜面に形成され、かつ、側面が背面側へ行く程幅方向内側に傾斜する傾斜面に形成される表示パネルと、表示パネルの表示面の周縁部を覆い、かつ、表示パネルの側面を覆う外周部に嵌合部を有するフロント筐体と、表示パネルの背面を覆い、かつ、表示パネルの側面を覆う外周部に嵌合部と嵌合可能な被嵌合部を有するとともに、当該外周部に隣接し表示面と平行に形成された背面位置に貫通穴が形成されるリア筐体と、表示パネルの傾斜面に固定され、かつ、リア筐体の貫通穴に対応する位置が表示面と平行な平面に形成されるとともに当該平面に第１ネジ穴が形成される固定部材とを備え、リア筐体と固定部材は、貫通穴と第１ネジ穴を介してネジで固定される。
【００１２】
したがって、フロント筐体の嵌合部とリア筐体の被嵌合部が嵌合され、ユーザーホールと第１ネジ穴を介して固定されるネジの固定位置がフロント筐体の嵌合部とリア筐体の被嵌合部に近い位置となる。これにより、リア筐体の反りおよび撓みが抑制され、これと同時にフロント筐体の反りおよび撓みが抑制される。これと同時に、リア筐体に対するフロント筐体の浮きおよびフロント筐体とリア筐体との隙間が発生することも抑制できる。すなわち、フロント筐体からネジボスを削減またはなくした場合にも、フロント筐体とリア筐体との固定に関し意匠性を損なうことを抑制することが可能となる。
【図面の簡単な説明】
【００１３】
【図１】実施の形態１に係る筐体固定構造の概略斜視図である。
【図２】固定部材の概略斜視図である。
【図３】表示パネルに固定される固定部材において取り付け前の状態を示す概略斜視図である。
【図４】表示パネルに固定される固定部材において取り付け後の状態を示す概略斜視図である。
【図５】筐体固定構造の断面図である。
【図６】固定部材を介してフロントキャビネットに固定されるリアキャビネットにおいて取り付け前の状態を示す概略斜視図である。
【図７】実施の形態２の図４相当図である。
【図８】実施の形態３に係る筐体固定構造において表示パネルに固定される固定部材の取り付け前後の状態を示す断面図である。
【図９】実施の形態４に係る筐体固定構造の固定部材の概略斜視図である。
【図１０】実施の形態４の図８相当図である。
【発明を実施するための形態】
【００１４】
＜実施の形態１＞
本発明の実施の形態１について、図面を用いて以下に説明する。図１は、実施の形態１に係る筐体固定構造の概略斜視図であり、図２は、固定部材２の概略斜視図であり、図３は、表示パネル４に固定される固定部材２において取り付け前の状態を示す概略斜視図であり、図４は、表示パネル４に固定される固定部材２において取り付け後の状態を示す概略斜視図であり、図５は、筐体固定構造において固定部材２の係合片２ｄ、ネジ穴２ｆおよび係合片２ｅを通る断面図であり、図６は、固定部材２を介してフロントキャビネット１に固定されるリアキャビネット３において取り付け前の状態を示す概略斜視図である。
【００１５】
実施の形態１に係る筐体固定構造は、図１と、図３から図６に示すように、フロントキャビネット１（フロント筐体）と、表示パネル４と、複数（例えば４つ）の固定部材２と、リアキャビネット３（リア筐体）とを備えている。この筐体固定構造は、薄型の液晶表示装置に採用される構造である。ここで、図１において紙面奥側を前方、紙面手前側を後方、紙面上側を上方、紙面下側を下方として説明する。
【００１６】
表示パネル４は、液晶表示パネルであり、図５に示すように、パネル本体部１３と、パネル本体部１３を覆うフレーム部１４とを備えている。表示パネル４は、直下型液晶パネルのように天面および側面が傾斜状となっている。より具体的には、表示パネル４のフレーム部１４において、天面が背面側へ行く程下方に傾斜する傾斜面である傾斜部１４ｄが形成され、かつ、側面が背面側へ行く程幅方向内側に傾斜する傾斜面である傾斜部１４ｄが形成されている。
【００１７】
フレーム部１４の外周部において下端部を除く部分に渡って、背面側へ突出する突出部１４ａが形成されている。フレーム部１４の外周部に隣接する位置（すなわち、フレーム部１４の外周部の内周側）に、表示パネル４の表示面４ａと平行な平面部１４ｃが形成され、フレーム部１４の平面部１４ｃに隣接する位置（すなわち、フレーム部１４の平面部１４ｃの内周側）に傾斜部１４ｄが形成されている。
【００１８】
図１と図５に示すように、フロントキャビネット１は、開口１ａを有する枠状に形成され、開口１ａの周囲にある開口縁部で表示パネル４の表示面４ａの周縁部を覆っている。また、フロントキャビネット１の外周部が表示パネル４の側面を覆っている。フロントキャビネット１の外周部の内面側に爪状の嵌合部１ｂが複数形成されている。
【００１９】
図１と図５と図６に示すように、リアキャビネット３は、天面が背面側へ行く程下方に傾斜する傾斜面に形成され、かつ、側面が背面側へ行く程幅方向内側に傾斜する傾斜面に形成されており、表示パネル４の背面を覆っている。また、リアキャビネット３の外周部が表示パネル４の側面を覆っている。
【００２０】
リアキャビネット３の外周部の外面側において、嵌合部１ｂと対応する位置に溝状の被嵌合部３ａが複数形成されており、被嵌合部３ａは嵌合部１ｂが嵌合可能な形状に形成されている。フロントキャビネット１の嵌合部１ｂがリアキャビネット３の被嵌合部３ａと嵌合した状態で、フロントキャビネット１とリアキャビネット３が固定されている。
【００２１】
リアキャビネット３の外周部に隣接する背面位置は、表示パネル４の表示面４ａと平行に形成されている。より具体的には、当該背面位置の周辺部に表示パネル４側に凹む凹部３ｂが形成され、凹部３ｂの底面が表示パネル４の表示面４ａと平行に形成されている。そして、凹部３ｂの底面にユーザーホール３ｃ（貫通穴）が形成されている。
【００２２】
次に、固定部材２について説明する。図２から図６に示すように、固定部材２は、例えば金属板を用いて形成され、板片部２ａと、板片部２ｂと、板片部２ｃと、係合片２ｄ（第２係合片）と、係合片２ｅ（第１係合片）と、ネジ穴２ｆ（第１ネジ穴）とを備えている。板片部２ａは、平板状に形成され、フレーム部１４の傾斜部１４ｄに沿って固定可能である。板片部２ｂは、平板状に形成され、板片部２ａの一端部からリアキャビネット３の外周部側へ延びるように形成されている。すなわち、板片部２ｂは、表示パネル４の表示面４ａと平行となるように固定され、板片部２ｂの外面がリアキャビネット３の凹部３ｂの表示パネル４側の面と密着している。板片部２ｂにおいてリアキャビネット３のユーザーホール３ｃに対応する位置に、ネジ穴２ｆが形成されている。
【００２３】
板片部２ｃは、板片部２ｂにおいて板片部２ａ側とは反対側の端部から表示パネル４側に延びるように形成されている。板片部２ｃの内面は、表示パネル４の突出部１４ａの外周面と密着している。
【００２４】
係合片２ｄは、板片部２ａの中央部に形成され、表示パネル４側に屈曲する態様で形成されている。係合片２ｄは、フレーム部１４の穴部１４ｅ（第２穴部）の周縁部にリアキャビネット３側から係合可能に形成されている。
【００２５】
係合片２ｅは、板片部２ｃの中央部に形成され、フレーム部１４の傾斜部１４ｄ側に屈曲する態様で形成されている。係合片２ｅは、突出部１４ａの穴部１４ｂ（第１穴部）の周縁部に係合可能に形成されている。
【００２６】
各々の固定部材２と表示パネル４は２箇所で係合されているため、ネジなどを用いなくても安定した状態で固定される。図５に示すように、係合片２ｅが穴部１４ｂから突出する長さである係合長さＬ１と、係合片２ｄが穴部１４ｅから突出する長さである係合長さＬ２は、リアキャビネット３と表示パネル４との隙間Ｃよりも長い。このため、リアキャビネット３を組み付けた後も固定部材２の前後方向への脱落を防止できる。
【００２７】
以上のように、実施の形態１に係る筐体固定構造およびこれを備える表示装置では、天面が背面側へ行く程下方に傾斜する傾斜面に形成され、かつ、側面が背面側へ行く程幅方向内側に傾斜する傾斜面に形成される表示パネル４と、表示パネル４の表示面４ａの周縁部を覆い、かつ、表示パネル４の側面を覆う外周部に嵌合部１ｂを有するフロントキャビネット１と、表示パネル４の背面を覆い、かつ、表示パネル４の側面を覆う外周部に嵌合部１ｂと嵌合可能な被嵌合部３ａを有するとともに、当該外周部に隣接し表示面４ａと平行に形成された背面位置にユーザーホール３ｃが形成されるリアキャビネット３と、表示パネル４の傾斜面に固定され、かつ、リアキャビネット３のユーザーホール３ｃに対応する位置が表示面４ａと平行な平面に形成されるとともに当該平面にネジ穴２ｆが形成される固定部材２とを備え、リアキャビネット３と固定部材２は、ユーザーホール３ｃとネジ穴２ｆを介してネジ５で固定される。
【００２８】
したがって、フロントキャビネット１の嵌合部１ｂとリアキャビネット３の被嵌合部３ａが嵌合され、ユーザーホール３ｃとネジ穴２ｆを介して固定されるネジ５の固定位置がフロントキャビネット１の嵌合部１ｂとリアキャビネット３の被嵌合部３ａに近い位置となる。これにより、リアキャビネット３の反りおよび撓みが抑制され、これと同時にフロントキャビネット１の反りおよび撓みが抑制される。これと同時に、リアキャビネット３に対するフロントキャビネット１の浮きおよびフロントキャビネット１とリアキャビネット３との隙間が発生することも抑制できる。すなわち、フロントキャビネット１からネジボスを削減またはなくした場合にも、フロントキャビネット１とリアキャビネット３との固定に関し意匠性を損なうことを抑制することが可能となる。
【００２９】
また、ユーザーホール３ｃとネジ穴２ｆを介して固定されるネジ５の固定位置がフロントキャビネット１の嵌合部１ｂとリアキャビネット３の被嵌合部３ａに近い位置であるため、嵌合部１ｂと被嵌合部３ａの嵌合をきつくしなくても、フロントキャビネット１とリアキャビネット３の嵌合が外れ難くなる。
【００３０】
さらに、フロントキャビネット１の嵌合部１ｂとリアキャビネット３の被嵌合部３ａとを嵌合させることで、フロントキャビネット１とリアキャビネット３を固定しているため、フロントキャビネット１からネジボスを削減またはなくすことが可能となり、薄型の表示パネル４の外枠とフロントキャビネット１の外枠の距離を縮めることができ、フロントキャビネット１の狭額化を図ることが可能となる。
【００３１】
表示パネル４は、外周部から背面側へ突出する突出部１４ａと、突出部１４ａに形成される穴部１４ｂと、傾斜面に形成される穴部１４ｅとを備え、固定部材２は、穴部１４ｂと係合可能な係合片２ｅと、穴部１４ｅと係合可能な係合片２ｄとを備える。したがって、表示パネル４と固定部材２とを固定する際にネジを用いる必要がないため、部品点数の増加を抑制することが可能となる。
【００３２】
＜実施の形態２＞
次に、実施の形態２に係る筐体固定構造について説明する。図７は、実施の形態２の図４相当図である。なお、実施の形態２において、実施の形態１で説明したものと同一の構成要素については同一符号を付して説明は省略する。
【００３３】
実施の形態２に係る筐体固定構造は、表示パネル４の穴部１４ｂ，１４ｅのうち少なくとも一方について固定部材２をネジ６で固定するものである。
【００３４】
固定部材２において穴部１４ｂ，１４ｅのうち少なくとも一方に対応する位置に図示外のネジ穴（第２ネジ穴）が形成されている。例えば図７では、固定部材２において穴部１４ｅに対応する位置にネジ穴が形成されている。ネジ６が当該ネジ穴と穴部１４ｅに締付けられるとともに、係合片２ｅが穴部１４ｂの周縁部に係合されることで、固定部材２が表示パネル４に固定されている。
【００３５】
なお、固定部材２において穴部１４ｂに対応する位置にネジ穴を設けて、ネジ６が当該ネジ穴と穴部１４ｂに締付けられるとともに、係合片２ｄが穴部１４ｅの周縁部に係合されることで、固定部材２が表示パネル４に固定されてもよい。また、固定部材２において穴部１４ｅに対応する位置にネジ穴を設けて、ネジ６が当該ネジ穴と穴部１４ｅに締付けられるとともに、固定部材２において穴部１４ｂに対応する位置にネジ穴を設けて、ネジ６が当該ネジ穴と穴部１４ｂに締付けられることで、固定部材２が表示パネル４に固定されてもよい。
【００３６】
以上のように、実施の形態２に係る筐体固定構造およびこれを備える表示装置では、表示パネル４は、外周部から背面側へ突出する突出部１４ａと、突出部１４ａに形成される穴部１４ｂと、傾斜部１４ｄに形成される穴部１４ｅとを備え、固定部材２において穴部１４ｂと穴部１４ｅのうち少なくとも一方に対応する位置にネジ穴が形成され、表示パネル４と固定部材２は、穴部１４ｂと穴部１４ｅのうち少なくとも一方と、ネジ穴を介してネジ６で固定される。
【００３７】
したがって、実施の形態１の場合と比べて、固定部材２がさらに安定した状態で表示パネル４に固定されることから、フロントキャビネット１とリアキャビネット３との固定に関し意匠性を損なうことを一層抑制することが可能となる。
【００３８】
＜実施の形態３＞
次に、実施の形態３に係る筐体固定構造について説明する。図８は、実施の形態３に係る筐体固定構造において表示パネル４に固定される固定部材２の取り付け前後の状態を示す断面図である。ここでは、表示パネル４と固定部材２のみが示されている。なお、実施の形態３において、実施の形態１，２で説明したものと同一の構成要素については同一符号を付して説明は省略する。
【００３９】
実施の形態３に係る筐体固定構造は、固定部材２の板片部２ｃの弾性力によって係合片２ｅを穴部１４ｂの周縁部に係合させるものある。
【００４０】
固定部材２は弾性材料で形成され、通常状態では、図８の２点鎖線で示すように、固定部材２の板片部２ｃが後方に反った姿勢である。表示パネル４に固定部材２を組み付ける際、図８の実線で示すように、固定部材２の板片部２ｃが表示パネル４の表示面４ａと平行となるように弾性変形され、係合片２ｅが穴部１４ｂを通過することが可能となる。組み付け後、板片部２ｃは自身の弾性力によって通常状態に復帰しようとするため、係合片２ｅが穴部１４ｂの周縁部に係合される。すなわち、係合片２ｅと穴部１４ｂの周縁部との係合状態は板片部２ｃの弾性力で保持される。ここで、弾性材料としては、例えば金属、ゴムまたは合成樹脂などが用いられる。
【００４１】
以上のように、実施の形態３に係る筐体固定構造およびこれを備える表示装置では、固定部材２は弾性材料で形成され、係合片２ｅと穴部１４ｂとの係合状態は固定部材２の弾性力で保持されるため、実施の形態１の場合と比べて、固定部材２がさらに安定した状態で表示パネル４に固定されることから、フロントキャビネット１とリアキャビネット３との固定に関し意匠性を損なうことを一層抑制することが可能となる。
【００４２】
＜実施の形態４＞
次に、実施の形態４に係る筐体固定構造について説明する。図９は、実施の形態４に係る筐体固定構造の固定部材２の概略斜視図である。図１０は、実施の形態４の図８相当図である。なお、実施の形態４において、実施の形態１から３で説明したものと同一の構成要素については同一符号を付して説明は省略する。
【００４３】
実施の形態４に係る筐体固定構造は、固定部材２の係合片２ｄの弾性力によって係合片２ｄを穴部１４ｅの周縁部に係合させるものである。
【００４４】
図９に示すように、固定部材２は弾性材料で形成され、係合片２ｄの途中部から後方に突出する保持片２ｇをさらに備えている。係合片２ｄおよび保持片２ｇは、通常状態では、図１０の実線に示す位置に位置している。表示パネル４に固定部材２を組み付ける際、図１０の２点鎖線で示すように、係合片２ｄが傾斜部１４ｄに対して垂直姿勢になるように弾性変形され、係合片２ｄおよび保持片２ｇが穴部１４ｅを通過することが可能となる。組み付け後、図１０の実線で示すように、係合片２ｄおよび保持片２ｇは係合片２ｄの弾性力によって通常状態に復帰し、保持片２ｇの先端が傾斜部１４ｄの内面に当接することで、係合片２ｄが穴部１４ｅの周縁部に係合される。すなわち、係合片２ｄと穴部１４ｅの周縁部との係合状態は係合片２ｄの弾性力で保持される。ここで、弾性材料としては、例えば金属、ゴムまたは合成樹脂などが用いられる。
【００４５】
以上のように、実施の形態４に係る筐体固定構造およびこれを備える表示装置では、固定部材２は弾性材料で形成され、係合片２ｄと穴部１４ｅとの係合状態は固定部材２の弾性力で保持されるため、実施の形態１の場合と比べて、固定部材２がさらに安定した状態で表示パネル４に固定されることから、フロントキャビネット１とリアキャビネット３との固定に関し意匠性を損なうことを一層抑制することが可能となる。
【００４６】
なお、本発明は、その発明の範囲内において、各実施の形態を自由に組み合わせたり、各実施の形態を適宜、変形、省略することが可能である。
【符号の説明】
【００４７】
１  フロントキャビネット、１ｂ  嵌合部、２  固定部材、２ｄ  係合片、２ｅ  係合片、２ｆ  ネジ穴、３  リアキャビネット、３ａ  被嵌合部、３ｃ  ユーザーホール、４  表示パネル、５  ネジ、６  ネジ、１４ａ  突出部、１４ｂ  穴部、１４ｄ  傾斜部、１４ｅ  穴部。
【図１】
2015146538.tif 000003
【図２】
2015146538.tif 000004
【図３】
2015146538.tif 000005
【図４】
2015146538.tif 000006
【図５】
2015146538.tif 000007
【図６】
2015146538.tif 000008
【図７】
2015146538.tif 000009
【図８】
2015146538.tif 000010
【図９】
2015146538.tif 000011
【図１０】
2015146538.tif 000012